(57)【要約】【課題】勢いよくマイナスイオンを放出可能な加湿器を提供する。【解決手段】内容器３を備えた加湿器本体２と、蓋体４と、ヒータ１１（加熱手段）とを備え、蓋体４に、外気と連通する吸入口２１および排出口１３を有する排出部２０を形成し、排出部２０に、一端の連通口２４が内容器３側と連通し、他端の噴出口２５が排出部２０内側と連通する連通管２２が設けられた加湿器１において、内容器３側壁と加湿器本体２側壁との間に、マイナスイオンを発生するためのイオン発生部６を設け、イオン発生部６の空気出口６ｃは、排出部２０の吸入口２１近傍に位置する。【選択図】  図２
2004183978.tif 000002
【特許請求の範囲】
【請求項１】
液体を収容する内容器を備えた加湿器本体と、前記内容器の開口部を閉塞する蓋体と、前記内容器を加熱する加熱手段とを備え、前記蓋体に、外気と連通する吸入口および排出口を有する排出部を形成し、該排出部に、一端の連通口が前記内容器側と連通し、他端の噴出口が前記排出部内側と連通する連通管が設けられた加湿器において、
前記内容器側壁と前記加湿器本体側壁との間に、マイナスイオンを発生するためのイオン発生部を設け、
前記イオン発生部の空気出口は、前記排出部の吸入口近傍に位置することを特徴とする加湿器。
【発明の詳細な説明】
【０００１】
【発明の属する技術分野】
本発明は、加湿器に関するものである。特に、マイナスイオンを放出する加湿器に関するものである。
【０００２】
【従来の技術】
従来の加湿器は、図６に示すように、加湿器本体１００側壁内にイオン発生器１０１を備えるイオン発生部１０２が設けられている。このイオン発生器１０１から発生されたマイナスイオンは、加湿器本体１００底面に形成された空気入口１０３からイオン発生部１０２内に取り込まれた外気とともに加湿器本体１００側面に形成された空気出口１０４から外部に放出されるようになっている。
【０００３】
【発明が解決しようとする課題】
しかしながら、前記加湿器では、外部に放出されるマイナスイオンは、イオン発生部１０２内の空気の対流による流れでしか放出されず、効率が悪いという問題があった。
【０００４】
そこで、本発明は、勢いよくマイナスイオンを放出可能な加湿器を提供することを課題とする。
【０００５】
【課題を解決するための手段】
本発明は、前記課題を解決するための手段として、
液体を収容する内容器を備えた加湿器本体と、前記内容器の開口部を閉塞する蓋体と、前記内容器を加熱する加熱手段とを備え、前記蓋体に、外気と連通する吸入口および排出口を有する排出部を形成し、該排出部に、一端の連通口が前記内容器側と連通し、他端の噴出口が前記排出部内側と連通する連通管が設けられた加湿器において、
前記内容器側壁と前記加湿器本体側壁との間に、マイナスイオンを発生するためのイオン発生部を設け、
前記イオン発生部の空気出口は、前記排出部の吸入口近傍に位置するものである。
【０００６】
前記発明では、連通管から噴出される蒸気により排出部は、吸入口から外気を吸い込み、吸い込んだ外気と蒸気とを混合して排出口から蓋体外部に排出する。吸入口から外気が吸い込まれるとき、イオン発生部の空気出口から排出されたマイナスイオンを含む空気も排出部内に吸い込まれるので、蒸気とともにマイナスイオンを勢いよく放出することができる。
【０００７】
【発明の実施の形態】
以下、本発明の実施の形態を添付図面にしたがって説明する。
【０００８】
図１は、本発明に係る加湿器１を示す。この加湿器１は、加湿器本体２と、該加湿器本体２内に収容されている内容器３と、この内容器３の上端開口部を閉鎖する蓋体４とからなっている。
【０００９】
前記加湿器本体２は、有底円筒形状を有し、加湿器本体２の本体外枠５と前記内容器３との間には、図２（ａ），（ｂ）に示すように、イオン発生部６が設けられている。このイオン発生部６は、樹脂材料からなる略コの字形状の断面を有する筒部材６ａとイオン発生器７から構成されている。このイオン発生部６内部の空気は、内容器３からの伝熱により加熱されて対流するようになっている。前記イオン発生器７は、イオン発生部６内に配設されており、通電されると放射線状にマイナスイオンを発生し、イオン発生部６内の空気と混合するようになっている。また、前記加湿器本体２下面にはイオン発生部６の空気入口６ｂが形成されており、前記加湿器本体２上部のイオン発生部６に隣接する位置に形成された切欠き部８の側壁８ａにはイオン発生部６の空気出口６ｃが形成されている。これにより、イオン発生部６には図２中、矢印Ａで示すように、空気入口６ｂから空気出口６ｃに至る空気流路が形成されている。また、図２および図３に示すように、加湿器本体２の本体内枠９の前記切欠き部８が形成されている位置には、格子状の外気吸入口１０が形成されている。
【００１０】
前記内容器３は、噴霧するための液体を収容するものであり、その底面にはヒータ１１（加熱手段）が配設されている。
【００１１】
蓋体４は、前記加湿器本体２の本体内枠９内側に設けられており、ヒンジ部４ａを中心として前記加湿器本体２に回動可能かつ着脱自在に取り付けられている。前記蓋体４下面には、外縁部にゴムパッキンを介在させた状態で下蓋１２がねじ止めされている。
【００１２】
また、前記蓋体４上面には、図４に示すように、複数のスリットからなる略円弧状の排出口１３が形成されており、蓋体４内部には、排出口１３下方に扇状の空間からなる排出部２０が設けられている。この排出部２０の側壁２０ａは、排出口１３と一致する形状の断面を有し、図３および図５に示すように、前記本体内枠９の外気吸入口１０と対応する位置には吸入口２１が形成されている。これにより、排出部２０には、図５中、矢印Ｂで示すように、吸入口２１を介して排出部２０内に至る吸入経路が形成されている。また、排出部２０には、図５中、矢印Ｃで示すように、排出口１３上方の外気が吸入されて排出部２０内部に至る吸入経路も形成されている。
【００１３】
また、前記排出部２０の底壁２０ｂには、略逆Ｌ字形状の連通管２２と還流孔２３が形成されている。前記連通管２２の一端は、図３に示すように、底壁２０ｂに形成された連通口２４と接続されており、蓋体４と下蓋１２との間に形成された蒸気流路Ｓを介して内容器３内側と連通している。また、連通管２２の他端に位置する噴出口２５は、排出部２０内側と連通し、底壁２０ｂに向かって下向きに傾斜している。前記還流孔２３は、排出部２０内で結露した液体を内容器３に還流するためのものである。また、底壁２０ｂは、前記還流孔２３に向かって低くなるように傾斜している。
【００１４】
次に、前記構成からなる加湿器１の作用について説明する。
【００１５】
ヒータ１１への通電が開始されると、内容器３内に収容された液体が加熱される。加熱された液体から発生した水蒸気は、蓋体４と下蓋１２との間に形成された蒸気流路Ｓを経て、連通口２４を介して連通管２２内に流入する。連通管２２内に流入した蒸気は、噴出口２５から排出部２０内に噴出される。このとき、蒸気の噴出方向は排出部２０の底壁２０ｂに向かうので、蒸気が直接外部に噴出されることなく安全である。また、この蒸気の噴出により、図５中、矢印Ｂで示すように、外気吸入口１０および吸入口２１を介して外気が排出部２０内に吸入され、さらに、矢印Ｃで示すように、外気が排出口１３を介して排出部２０内に吸入される。
【００１６】
一方、内容器３内に収容された液体が加熱されると、内容器３からの伝熱により加熱されたイオン発生部６内の空気は、空気入口６ｂから空気出口６ｃに至る空気流路を経て、図２中、矢印Ａで示すように、空気出口６ｃから排出される。排出された空気は、前記蒸気の噴出により吸引される外気とともに排出部２０内に流入する（図５中、矢印Ａで示す）。このとき、イオン発生器７から発生したマイナスイオンも同様に排出部２０内に吸入される。
【００１７】
そして、排出部２０内に流入した低温の外気およびマイナスイオンが、連通管２２から噴出される高温の蒸気と十分に混合され、図５中、矢印Ｄで示すように、排出部２０内を流動し、排出口１３から外部に排出される。これにより、温度が低下した蒸気とともにマイナスイオンを排出口１３から勢いよく室内に放出することができる。また、蒸気温度が低下して生じる結露水は、底壁２０ｂの還流孔２３を介して内容器３内に還流される。
【００１８】
また、ユーザが蓋体４を取り外し、外気吸入口１０を下にした状態で加湿器本体２を傾け、内容器３内の水を捨てる場合、切欠き部８の側壁８ａにイオン発生部６の空気出口６ｃが形成されているので、イオン発生部６内に水が流入することを回避できる。
【００１９】
【発明の効果】
以上の説明から明らかなように、本発明によると、内容器を備えた加湿器本体と、蓋体と、加熱手段とを備え、蓋体に、外気と連通する吸入口および排出口を有する排出部を形成し、排出部に、一端の連通口が内容器側と連通し、他端の噴出口が排出部内側と連通する連通管が設けられた加湿器において、内容器側壁と加湿器本体側壁との間に、マイナスイオンを発生するためのイオン発生部を設け、イオン発生部の空気出口は、排出部の吸入口近傍に位置するので、排出部から排出される蒸気とともにマイナスイオンを勢いよく放出することができ、従来の対流のみによってマイナスイオンを放出する加湿器に比べ、効率よくマイナスイオンを放出できる。
【図面の簡単な説明】
【図１】本発明の加湿器の一部破断側面図である。
【図２】（ａ）は、図１の加湿器の一部拡大斜視図である。（ｂ）は、（ａ）の上面方向から見た断面図である。
【図３】図１の加湿器の断面図である。
【図４】図１の加湿器の蓋体を示した平面図である。
【図５】図４の蓋体の排出口を取り外した状態を示した平面図である。
【図６】従来の加湿器を示した斜視図である。
【符号の説明】
１…加湿器
２…加湿器本体
３…内容器
４…蓋体
６…イオン発生部
６ｃ…空気出口
１１…ヒータ（加熱手段）
１３…排出口
２０…排出部
２１…吸入口
２２…連通管
２４…連通口
２５…噴出口
【図１】
2004183978.tif 000003
【図２】
2004183978.tif 000004
【図３】
2004183978.tif 000005
【図４】
2004183978.tif 000006
【図５】
2004183978.tif 000007
【図６】
2004183978.tif 000008